(57)【要約】【課題】  指針画像の回動速度が大きい場合であっても、指針画像の回動動作が円滑なものとなり、車両利用者に対し違和感のある指針表示を視認させる虞のない車両用表示装置を提供する。【解決手段】  画像表示装置１０と、所定の配列形態を有して表示される指標画像１１ｂと特定の指標画像１１ｂを指示する指針画像１１ａとからなる車両情報画像を画像表示装置１０に表示させるべく、画像表示装置１０を表示動作させる制御手段２０とを備えた車両用表示装置において、制御手段２０は、指針画像１１ａが移動する移動方向Ｃ１及び移動方向Ｃ１とは反対側となる反対方向Ｃ２において、指針画像１１ａの動きを付加的に補う補助画像１１ｃを指針画像１１ａと連なるように表示させるべく、画像表示装置１０を表示動作させる。【選択図】図４
2013221848.tif 000002
【特許請求の範囲】
【請求項１】
画像表示装置と、
所定の配列形態を有して表示される指標画像と特定の前記指標画像を指示する指針画像とからなる車両情報画像を前記画像表示装置に表示させるべく、前記画像表示装置を表示動作させる制御手段とを備えた車両用表示装置において、
前記制御手段は、前記指針画像が移動する移動方向及び前記移動方向とは反対側となる反対方向において、前記指針画像の動きを付加的に補う補助画像を前記指針画像と連なるように表示させるべく、前記画像表示装置を表示動作させることを特徴とする車両用表示装置。
【請求項２】
前記補助画像は、その透明度が前記移動方向に沿い漸増していることを特徴とする請求項１記載の車両用表示装置。
【請求項３】
前記補助画像は、前記指針画像の形状と相似している相似画像からなることを特徴とする請求項１記載の車両用表示装置。
【発明の詳細な説明】
【技術分野】
【０００１】
本発明は、指針画像と指標画像とからなる車両情報画像を表示する画像表示装置と、この画像表示装置を表示動作させる制御手段とを備えた車両用表示装置に関するものである。
【背景技術】
【０００２】
従来より、この種の車両用表示装置にあっては、例えば下記特許文献１に記載されているものが知られている。この特許文献１に記載の車両用表示装置は、車両利用者に対して車両情報画像を表示する液晶表示パネル（画像表示装置）と、所定の配列形態（例えば円弧状の配列形態）を有して表示される指標画像と特定の指標画像を指示するように線状に延びる指針画像とからなる車両情報画像を液晶表示パネルに表示させるべく、液晶表示パネルを表示動作させるマイクロコンピュータ及びグラフィックコンピュータからなる制御手段とを備えている。また、液晶表示パネルでは、例えば１秒間に３０フレームの画像が切り替えられ、これにより指針画像や指標画像の動きが表示される。
【０００３】
ここで、車両情報画像は、車両の走行速度等を指針式画像として表示する計器画像である。また、指標画像は、数字画像と目盛画像とを備え、数字画像は、車両の走行速度を数値で表した画像からなり、目盛画像の所定間隔毎に「０〜１８０」までの数字画像が指針画像の回動範囲に沿って円弧状に配列されている。一方、目盛画像は、指針画像の回動動作に応じて車両利用者が数字画像よりも詳細情報を確認できるように数字画像の外側に複数個配列されている。
【先行技術文献】
【特許文献】
【０００４】
【特許文献１】特開２０１０−７１９２７号公報
【発明の概要】
【発明が解決しようとする課題】
【０００５】
ところで、上述した特許文献１に記載の車両用表示装置において、指針画像の回動速度が速い場合、指針画像がステップ状に飛んでいるかのように視認されるため（つまり指針画像の回動動作が円滑でないため）、車両利用者に対し違和感のある指針表示を視認させてしまうという問題点があり、この点で更なる改良の余地が残されていた。
そこで本発明は、前述の課題に対して対処するため、指針画像の回動速度が大きい場合であっても、指針画像の回動動作が円滑なものとなり、車両利用者に対し違和感のある指針表示を視認させる虞のない車両用表示装置の提供を目的とするものである。
【課題を解決するための手段】
【０００６】
本発明は、画像表示装置と、所定の配列形態を有して表示される指標画像と特定の前記指標画像を指示する指針画像とからなる車両情報画像を前記画像表示装置に表示させるべく、前記画像表示装置を表示動作させる制御手段とを備えた車両用表示装置において、前記制御手段は、前記指針画像が移動する移動方向及び前記移動方向とは反対側となる反対方向において、前記指針画像の動きを付加的に補う補助画像を前記指針画像と連なるように表示させるべく、前記画像表示装置を表示動作させることを特徴とする。
【０００７】
また本発明は、前記補助画像は、その透明度が前記移動方向に沿い漸増していることを特徴とする。
【０００８】
また本発明は、前記補助画像は、前記指針画像の形状と相似している相似画像からなることを特徴とする。
【発明の効果】
【０００９】
本発明によれば、初期の目的を達成でき、指針画像の回動速度が大きい場合であっても、指針画像の回動動作が円滑なものとなり、車両利用者に対し違和感のある指針表示を視認させる虞のない車両用表示装置を提供できる。
【図面の簡単な説明】
【００１０】
【図１】本発明の実施形態による車両用表示装置の正面図。
【図２】同実施形態による車両用表示装置の電気的構成を示すブロック図。
【図３】同実施形態による所定のフレームにおける指針画像と補助画像とを示す図。
【図４】同実施形態による次のフレームにおける指針画像と補助画像とを示す図。
【発明を実施するための形態】
【００１１】
以下、図１〜図３に基づいて、本発明の実施形態をスピードメータ画像を表示可能な車両用計器に適用した場合を例に挙げて説明する。
【００１２】
図１、図２において、本実施形態による車両用表示装置としての車両用計器は、画像表示装置１０と、制御手段２０と、入力端子３０とから主に構成され、画像表示装置１０は、例えば車両利用者に対して所定の車両情報画像を表示可能な液晶表示パネルからなるフラットパネルディスプレイを適用することができ、本例では、車両の運転席に着座している車両利用者の前方に位置するインストルメントパネル内に設置されているものとする。なお、画像表示装置１０は、液晶表示パネルではなく有機ＥＬパネルを適用してもよい。
【００１３】
画像表示装置１０は、図１に示すように、その画面上にて、例えば車両の走行速度を指針式画像として表示するスピードメータ画像１１を表示可能に構成されている。そして、画像表示装置１０においては、例えば１秒間に３０フレームの画像が切り替えられ、これによりスピードメータ画像１１の動きが表示される。
【００１４】
このスピードメータ画像１１は、機械式の指針計器を模した画像となっており、制御手段２０による制御のもと、入力端子３０を通じて入力する車速情報に応じた値を指示するようになっている。
【００１５】
なお、画像表示装置１０に表示されるスピードメータ画像１１は、線状に延びる指針画像１１ａと、この指針画像１１ａの作動範囲（回動範囲）に表示され、指針画像１１ａによって指示される目盛画像等からなる指標画像１１ｂとから構成される車両情報画像である。
【００１６】
指標画像１１ｂは円弧状の配列形態を有して表示される目盛画像を備えている。ここで、本例では、説明を簡略化するために指標画像１１ｂとして目盛画像のみを図示しているが、従来と同様に目盛画像の内側（あるいは外側）に数字画像を表示させてもよい。
【００１７】
つまり、この場合、「０〜１８０」までの数字画像が、個々の目盛画像に対応するように表示され、図１中、左側の下方に位置する目盛画像（指標画像１１ｂ）箇所には「０」なる数字画像が表示されているとともに図１中、右側の下方に位置する目盛画像（指標画像１１ｂ）箇所には「１８０」なる数字画像が表示されているものとする。
【００１８】
従って、車両の走行速度が増加している場合には、指針画像１１ａは、図１中、移動方向Ｃ１に沿うように回動し、複数個の目盛画像（指標画像１１ｂ）のうち特定の目盛画像（指標画像１１ｂ）を指示する。また、車両の走行速度が減少している場合には、指針画像１１ａは、図１中、移動方向Ｃ１とは反対側となる反対方向Ｃ２に沿うように回動し、複数個の目盛画像（指標画像１１ｂ）のうち特定の目盛画像（指標画像１１ｂ）を指示する。
【００１９】
制御手段２０は、例えばＲＯＭ、ＲＡＭ、不揮発性メモリやフラッシュメモリ等の記憶装置を含むマイクロコンピュータ２１と、このマイクロコンピュータ２１からの指令信号に応じて、指針画像１１ａと指標画像１１ｂと後述する補助画像とからなる車両情報画像を画像表示装置１０に表示させるべく、画像表示装置１０を表示動作させるグラフィックコントローラ２２とからなる。
【００２０】
マイクロコンピュータ２１は、入力端子３０を通じて入力する前記車速情報を処理し、グラフィックコントローラ２２の制御を元に画像表示装置１０に表示させるスピードメータ画像１１を制御する。すると、画像表示装置１０の画面上には、指針画像１１ａと指標画像１１ｂと補助画像１１ｃとから構成されるスピードメータ画像１１が表示される（図３参照）。
【００２１】
補助画像１１ｃは、指針画像１１ａの形状と相似（類似）している線状画像（相似画像）からなり、指針画像１１ａの動きを付加的に補助する画像であって、車両の走行速度が増加する方向である指針画像１１ａが移動する移動方向Ｃ１と、この移動方向Ｃ１とは反対側（逆方向）となる反対方向Ｃ２とにおいて、指針画像１１ａと連なるように表示される。なお、補助画像１１ｃの形状は、指針画像１１ａの形状と相似（類似）している形状であれば、あらゆる形状を採用できる。
【００２２】
本例の場合、補助画像１１ｃは、移動方向Ｃ１側に２つ表示されるとともに、反対方向Ｃ２側に２つ表示され、個々の補助画像１１ｃは、図３中、指針画像１１ａの回動中心点Ｐを起点として、この回動中心点Ｐから目盛画像側（指標画像１１ｂ側）に向けて線状に延びている。
【００２３】
また、ここで、４つの補助画像１１ｃのうち、図３中、上側から順に第１の補助画像Ｂ１、第２の補助画像Ｂ２、第３の補助画像Ｂ３、第４の補助画像Ｂ４と定義する。
【００２４】
そして、例えば指針画像１１ａと第２、第３の補助画像Ｂ２、Ｂ３とのなす角度が３度となるように、回動中心点Ｐを起点として第２、第３の補助画像Ｂ２、Ｂ３が表示され、同様に、例えば指針画像１１ａと第１、第４の補助画像Ｂ１、Ｂ４とのなす角度が９度となるように、回動中心点Ｐを起点として第１、第４の補助画像Ｂ１、Ｂ４が表示される。
【００２５】
なお、第１〜第４の補助画像Ｂ１〜Ｂ４において、各補助画像Ｂ１〜Ｂ４の透明度は自由に設定することができ、本例では、第１の補助画像Ｂ１の透明度が８５％、第２の補助画像Ｂ２の透明度が７０％、第３の補助画像Ｂ３の透明度が６０％、第４の補助画像Ｂ４の透明度が３０％にそれぞれ設定されている。つまり、このことは、補助画像１１ｃは、その透明度が移動方向Ｃ１に沿い、漸増している（段々と増えている）ことを意味している。
【００２６】
次に、指針画像１１ａの回動速度が移動方向Ｃ１に沿い速くなっている場合（例えば所定のフレームと次のフレームの間で指針画像１１ａの回動角度が約２０度、異なっている場合）について説明する。つまり、図３は、前記所定のフレームにおける指針画像１１ａと補助画像１１ｃとを示す図であり、図４は、前記次のフレームにおける指針画像４０と補助画像４１とを示す図である。なお、図４中、点線部分は、前記所定のフレームにおける指針画像１１ａと補助画像１１ｃとを示している。
【００２７】
ここで、指針画像４０は、上述の指針画像１１ａに対応するものであり、補助画像４１は、上述の第１の補助画像Ｂ１に対応する第５の補助画像Ｂ５と、上述の第２の補助画像Ｂ２に対応する第６の補助画像Ｂ６と、上述の第３の補助画像Ｂ３に対応する第７の補助画像Ｂ７と、上述の第４の補助画像Ｂ４に対応する第８の補助画像Ｂ８とを有している。
【００２８】
従って、指針画像１１ａの回動速度が速い場合であっても、図４に示すように、前記所定のフレームにおける指針画像１１ａと前記次のフレームにおける指針画像４０との間を埋めるように、第７の補助画像Ｂ７と第８の補助画像Ｂ８と第１の補助画像Ｂ１と第２の補助画像Ｂ２とが表示されることから、従来のように指針画像がステップ状に飛んでいるという現象は発生しにくくなり、指針画像の回動動作が円滑なものとなって、車両利用者に対し違和感のある指針表示を視認させる虞のない車両用表示装置を提供することができる。
【００２９】
以上のように本実施形態では、画像表示装置１０と、所定の配列形態を有して表示される指標画像１１ｂと特定の指標画像１１ｂを指示する指針画像１１ａとからなる車両情報画像を画像表示装置１０に表示させるべく、画像表示装置１０を表示動作させる制御手段２０とを備えた車両用表示装置において、制御手段２０は、指針画像１１ａが移動する移動方向Ｃ１及び移動方向Ｃ１とは反対側となる反対方向Ｃ２において、指針画像１１ａの動きを付加的に補う補助画像１１ｃを指針画像１１ａと連なるように表示させるべく、画像表示装置１０を表示動作させるものである。また、補助画像１１ｃは、その透明度が移動方向Ｃ１に沿い漸増しているとともに指針画像１１ａの形状と相似している相似画像からなるものである。
【００３０】
従って、指針画像１１ａの回動速度が速い場合であっても、前記所定のフレームにおける指針画像１１ａと前記次のフレームにおける指針画像４０との間を埋めるように、第７の補助画像Ｂ７と第８の補助画像Ｂ８と第１の補助画像Ｂ１と第２の補助画像Ｂ２とが表示されることから、指針画像の回動動作が円滑なものとなって、車両利用者に対し違和感のある指針表示を視認させる虞のない車両用表示装置を提供することができる。
【００３１】
また本実施形態では、所定のフレームと次のフレームの間で指針画像１１ａの回動角度が約２０度異なり、補助画像１１ｃが指針画像１１ａの上下に２つずつ設けられている例について説明したが、補助画像１１ｃの個数は指針画像１１ａの回動動作が円滑となるような構成であればよく、前記回動角度に応じて適宜設定すればよい。なお、前記回動角度が、約３度以下であれば補助画像１１ｃをあえて表示しなくてもよい。
【００３２】
なお、本実施形態では、画像表示装置１０にスピードメータ画像１１が表示されている例について説明したが、画像表示装置１０に表示されるスピードメータ画像１１以外の各種車両情報画像（例えばタコメータ画像）に対して、本発明を適用することができることは言うまでもない。
【符号の説明】
【００３３】
１０    画像表示装置
１１    スピードメータ画像
１１ａ、４０  指針画像
１１ｂ  指標画像
１１ｃ、４１  補助画像
２０    制御手段
２１    マイクロコンピュータ
２２    グラフィックコントローラ
３０    入力端子
Ｂ１    第１の補助画像
Ｂ２    第２の補助画像
Ｂ３    第３の補助画像
Ｂ４    第４の補助画像
Ｂ５    第５の補助画像
Ｂ６    第６の補助画像
Ｂ７    第７の補助画像
Ｂ８    第８の補助画像
Ｃ１    移動方向
Ｃ２    反対方向
Ｐ    回動中心点
【図１】
2013221848.tif 000003
【図２】
2013221848.tif 000004
【図３】
2013221848.tif 000005
【図４】
2013221848.tif 000006